(57)【要約】【課題】発泡樹脂シートからなる包装用容器の容器本体又は蓋体となる樹脂成形品において、熱成形後の残留応力による歪み等を抑制できる構造を提供する。【解決手段】発泡樹脂シート製包装用容器の容器本体１１となる樹脂成形品の歪み抑制構造１は、容器本体１１に側壁面部２の上端部に外向きに張り出すフランジ部３を備え、側壁面部２に段差状にして形成された、フランジ部３と並行状の段差面部４を備え、フランジ部３に表面、裏面のいずれか又は両方に、容器周方向に沿うアーチ形状とした第一アーチ部３１を備え、段差面部４に表面、裏面のいずれか又は両方に、容器周方向に沿うアーチ形状とした第二アーチ部４１を備えたことを特徴とする。【選択図】図１
2019112117.tif 000002
【特許請求の範囲】
【請求項１】
発泡樹脂シート製包装用容器の容器本体又は蓋体となる樹脂成形品の歪み抑制構造であって、
容器本体又は蓋体は、側壁面部の上端部又は下端部に外向きに張り出すフランジ部を備え、
該側壁面部は、段差状にして形成された、該フランジ部と並行状の段差面部を備え、
該フランジ部は、表面、裏面のいずれか又は両方に、容器周方向に沿うアーチ形状とした第一アーチ部を備え、
該段差面部は、表面、裏面のいずれか又は両方に、容器周方向に沿うアーチ形状とした第二アーチ部を備えた、
樹脂成形品の歪み抑制構造。
【請求項２】
第一アーチ部、第二アーチ部のいずれか又は両方は、上側に凸状又は下側に凹状に湾曲させてアーチ形状に形成してなる請求項１に記載の樹脂成形品の歪み抑制構造。
【請求項３】
第一アーチ部、第二アーチ部のいずれか又は両方は、部分的に厚みを厚く又は薄くしてアーチ形状に形成してなる請求項１に記載の樹脂成形品の歪み抑制構造。
【請求項４】
前記樹脂成形品の略中心に対して対向する位置それぞれに、第一アーチ部及び第二アーチ部を備えた請求項１〜３のいずれかに記載に樹脂成形品の歪み抑制構造。
【請求項５】
前記樹脂成形品は、発泡樹脂シート製包装用容器の平面視四角形状の容器本体であり、該容器本体の各側壁面部に第一アーチ部及び第二アーチ部を設けてある、請求項１〜４のいずれかに記載に樹脂成形品の歪み抑制構造。
【請求項６】
請求項１〜５のいずれかに記載の歪み抑制構造を備えた、発泡樹脂シート製包装用容器の容器本体又は蓋体となる樹脂成形品。
【請求項７】
発泡樹脂シート製包装用容器の容器本体又は蓋体となる樹脂成形品の歪み抑制方法であって、
該包装用容器は、側壁面部の上端部又は下端部に外向きに張り出すフランジ部を備え、
該側壁面部は、段差状にして形成された、該フランジ部と並行状の段差面部を備え、
該フランジ部は、表面又は裏面のいずれか又は両方に、容器周方向に沿うアーチ形状の第一アーチ部を備え、
該段差面部は、表面又は裏面のいずれか又は両方に、容器周方向に沿うアーチ形状の第二アーチ部を備えた、
発泡樹脂シート製包装用容器の容器本体又は蓋体となる樹脂成形品の歪み抑制方法。
【発明の詳細な説明】
【技術分野】
【０００１】
本発明は、発泡樹脂シートからなる包装用容器の容器本体又は蓋体となる樹脂成形品において、成形後の残留応力による歪みを抑制できる構造に関する。
【背景技術】
【０００２】
ポリスチレンなどからなる発泡樹脂製容器は、断熱性や保温性等に優れているなどの理由から、スーパーマーケットやコンビニエンスストアなどの小売店等で弁当、お刺身、精肉、鮮魚などの包装に用いられている。
このような発泡樹脂製容器は、発泡樹脂シートを真空成形や圧空成形などの熱成形をして、製造されるのが一般的である。しかし、発泡樹脂製シートを加熱して軟化させた後に冷却固化させて容器を成形するため、容器に残留応力が発生し、時間と共に容器に反りや歪みが生じてしまうことがあった。
【０００３】
そこで、例えば、下記特許文献１に示されたとおり、ポリスチレン系樹脂１００重量部に対して、低分子量飽和炭化水素および／または脂肪酸エステルを０．５重量部以上、５．０重量部未満含有するポリスチレン系樹脂発泡シートであり、その少なくとも一方の面に厚み２５〜２５０μｍのポリスチレン系樹脂非発泡フィルムを一層以上積層する事を特徴としたポリスチレン系樹脂積層発泡シートが開発され、この発泡シートを用いて成形された容器は、成形後に変形を生じさせにくいものである。
【０００４】
また、下記特許文献２に示されたとおり、ＤＳＣ測定によって得られる補外ガラス転移開始温度（Ｔｉｇ）が８０℃以上１００℃未満であり、中間点ガラス転移温度（Ｔｍｇ）が９２℃以上１０２℃未満であるポリスチレン系樹脂発泡シートが開発され、この発泡シートを用いて成形された容器は、高温保管時での容器寸法変化が抑制されるものである。
【先行技術文献】
【特許文献】
【０００５】
【特許文献１】特開２００３−１１８０４７号公報
【特許文献２】特開２０１６−６９５４１号公報
【発明の概要】
【発明が解決しようとする課題】
【０００６】
このように、従来では、発泡樹脂製容器において、発泡樹脂シートの材質を変更することにより、熱成形後の残留応力による反りや歪みを抑制することが行われていた。
本発明者は、鋭意研究を推進したところ、容器の構造（形状）により残留応力による反りや歪みを抑制できることを見出して本発明を成し得たものである。
【０００７】
そこで、本発明の目的は、発泡樹脂シートからなる包装用容器の容器本体又は蓋体となる樹脂成形品において、熱成形後の残留応力による歪み等を抑制できる構造を提供することにある。
【課題を解決するための手段】
【０００８】
本発明の一実施形態の樹脂成形品の歪み抑制構造は、発泡樹脂シート製包装用容器の容器本体又は蓋体となる樹脂成形品の歪み抑制構造であって、容器本体又は蓋体は、側壁面部の上端部又は下端部に外向きに張り出すフランジ部を備え、側壁面部は、段差状にして形成された、該フランジ部と並行状の段差面部を備え、フランジ部は、表面又は裏面のいずれか又は両方に、容器周方向に沿うアーチ形状の第一アーチ部を備え、段差面部は、表面又は裏面のいずれか又は両方に、容器周方向に沿うアーチ形状の第二アーチ部を備えた、ことを特徴とする。
【０００９】
このように、フランジ部に第一アーチ部を設け、フランジ部の下方位置する側壁面部の段差面部に第二アーチ部を設け、二段にアーチ形状を設けることにより、熱成形後に、残留応力による樹脂成形品の歪みや反りなどの発生を抑制することができる。
【００１０】
上記形態の樹脂成形品の歪み抑制構造は、第一アーチ部、第二アーチ部のいずれか又は両方は、上側に凸状又は下側に凹状の湾曲形状に湾曲させてアーチ形状に形成することができる。また、第一アーチ部、第二アーチ部のいずれか又は両方は、部分的に厚みを厚く又は薄くしてアーチ形状に形成することもできる。
【００１１】
上記形態の樹脂成形品の歪み抑制構造において、樹脂成形品の略中心に対して対向する位置それぞれに、第一アーチ部及び第二アーチ部を備えることができる。これにより、より良く歪みを抑制することができる。
【００１２】
上記形態の樹脂成形品の歪み抑制構造は、具体的には、樹脂成形品を、発泡樹脂シート製包装用容器の平面視四角形状の容器本体とし、容器本体の各側壁面部に第一アーチ部及び第二アーチ部を設けることができる。
【図面の簡単な説明】
【００１３】
【図１】本発明の樹脂成形品の歪み抑制構造の一実施形態を用いた容器本体の一例を示し、（Ａ）は平面図、（Ｂ）はＸ−Ｘ線端面図、（Ｃ）はＹ−Ｙ線端面図、（Ｄ）はＺ−Ｚ線端面図である。
【図２】（Ａ）〜（Ｅ）は、図１に示した容器本体のフランジ部の各変形例を示した端面図である。
【図３】（Ａ）〜（Ｅ）は、図１に示した容器本体の段差面部の各変形例を示した端面図である。
【図４】図１に示した容器本体の一変形例を示した斜視図である。
【図５】図１に示した容器本体のフランジ部の他の変形例を示した端面図である。
【図６】図１に示した容器本体の段差面部の他の変形例を示した端面図である。
【発明を実施するための形態】
【００１４】
以下、本発明の樹脂成形品の歪み抑制構造の一実施形態を図面に基づいて説明する。
【００１５】
本発明の一実施形態の樹脂成形品の歪み抑制構造１は、図１に示すように、発泡樹脂シート製包装用容器の容器本体１１に適用することができる。
以下、容器本体１１に基づいて歪み抑制構造１を説明するが、本発明の歪み抑制構造は発泡樹脂シート製包装用容器の蓋体に適用することもできる。
【００１６】
容器本体１１は、特に限定するものではないが、弁当、惣菜、米飯、麺類等を包装する容器として用いることができる。
【００１７】
容器本体１１は、平面視長方形状としてあるが、これに限定されるものではなく、例えば、平面視正方形状などの平面視四角形状、平面視円形乃至長円形状、平面視五角形状、平面視六角形状又は八角形状などの平面視多角形状などにすることもできる。また、容器本体１１は、黒色や白色などの有色にするのが好ましく、表面又は裏面に印刷を施して絵柄を設けてもよい。
【００１８】
容器本体１１は、例えば、シート厚０．３ｍｍ〜４ｍｍ、好ましくは０．５ｍｍ〜３ｍｍの発泡樹脂シートを熱成形して製造することができる。
【００１９】
発泡樹脂シートは、例えば、押出発泡成形法で作製することができ、押出機内で樹脂を可塑化し、可塑化した樹脂中に発泡剤を導入して発泡性樹脂を調製した後、発泡性樹脂を押出機ダイから押出すことにより、連続した発泡樹脂シートを作製することができる。
発泡樹脂シートとしては、例えば、ポリスチレン系発泡樹脂シート、ポリプロピレン系発泡樹脂シートなどを用いることができる。また、発泡樹脂シートにフィルムをラミネートしたものを用いることもできる。
発泡樹脂シートは、特に限定するものではないが、発泡倍率が１．１倍〜２５倍、特に１．５倍〜１５倍であるのが好ましい。発泡倍率は、例えば、発泡樹脂シートの見掛け密度をＪＩＳＫ７２２２に準拠した測定法で求め、発泡樹脂シートが未発泡とした場合の密度から見掛け密度を除することなどにより算出することができる。
【００２０】
熱成形としては、例えば、真空成形、圧空成形、真空圧空成形、熱板成形などを挙げることができる。
【００２１】
容器本体１１は、側壁面部２の上端部に外側に張り出したフランジ部３と、側壁面部２を段差状にして形成された段差面部４と、を備えてなる。
【００２２】
側壁面部２は、図１（Ａ）又は（Ｂ）に示すように、平面視長方形状の底面部２１の周囲から上方に向かい拡開する傾斜面として形成してあり、底面部２１の周囲を囲い、食料品などの収容物を収容できるようにしてある。
底面部２１には、図１（Ａ）に示すように、面上に微小幅の溝部２１ａが適宜箇所に形成してあり、食料品などを収容した場合、滲出した水分などを貯留することができる。また、溝部２１ａは、本実施形態の如く並行状などに形成することにより、収容物を盛り付ける際の目安線としての機能も有する。
【００２３】
側壁面部２は、図１（Ｂ）に示すように、上端部に外側に張り出すフランジ部３が全周に渡り形成してあり、本実施形態では、断面において、放物線（湾曲）状に張り出すように形成してある。フランジ部３の先端部には、水平状に若干幅突出する突端部３ａが形成してあり、蓋体（図示せず）が係合し、外嵌合できるようにしてある。
【００２４】
フランジ部３は、図１（Ｃ）に示すように、アーチ形状の第一アーチ部３１を備え、本実施形態では、各辺のフランジ部３にそれぞれ第一アーチ部３１を備えてある。
第一アーチ部３１は、本実施形態では、側面視において、各辺の中間付近を頂点とした上側に凸状になる湾曲形状にして形成してあり、フランジ部３各辺の略全長に渡る長さのアーチ状としてある。
第一アーチ部３１は、特に限定するものではないが、半径１００ｍｍ〜５，０００ｍｍの円弧状、特に半径２００ｍｍ〜３，０００ｍｍの円弧状に形成するのが好ましく、また、フランジ部３の全周長に対して１／８以上の長さ、特に１／６以上の長さ、さらに１／４以上の長さにするのが好ましい。本発明において樹脂成形品を平面視多角形状にした場合は、第一アーチ部を設けるフランジ部各辺の全長に対して１／２以上の長さ、２／３以上の長さにするのが好ましい。
【００２５】
第一アーチ部３１は、フランジ部３の表面、裏面のいずれか又は両方を、容器本体１１の周方向に沿うアーチ形状にして形成することができ、例えば、フランジ部３を変形させて、上側に凸状になる湾曲形状に形成したり、下側に凹状になる湾曲形状に形成したりすることができる。また、フランジ部３を、部分的に厚みを厚くして上側に凸状になるアーチ状に形成したり、部分的に厚みを薄くして下側に凹状になるアーチ状に形成したりすることもできる。
【００２６】
より具体的には、図１（Ｃ）に示した態様の他、図２（Ａ）に示すように、フランジ部３を下側に凹状に湾曲変形させてアーチ形状に形成すること、図２（Ｂ）に示すように、フランジ部３を部分的に厚みを厚く、つまり表面及び裏面を膨らませてアーチ形状にすること、図２（Ｃ）に示すように、フランジ部３の表面のみを部分的に厚みを厚く、つまり表面のみを膨らませてアーチ形状にすること（裏面は略水平面状）、図２（Ｄ）に示すように、フランジ部３を部分的に厚みを薄く、つまり表面及び裏面を凹ませてアーチ形状にすること、図２（Ｅ）に示すように、フランジ部３の裏面のみを部分的に厚みを薄く、つまり裏面を凹ませてアーチ形状にすること（表面は略水平面状）、などの態様を挙げることができる。
【００２７】
側壁面部２は、図１（Ｂ）に示すように、段差状にして形成された段差面部４を備えており、段差面部４は、側壁面部２の高さ方向中間部を外側に若干幅ずらせるようにして形成してある。
段差面部４は、容器本体１１の全周に渡り形成してあり、フランジ部３と並行状になるようにしてある。段差面部４は、フランジ部３寄りの高さに設けるのが好ましく、特に限定するものではないが、側壁面部２の垂直高さを１とした場合、底面部２１表面から０．５〜０．９の高さ、特に０．６〜０．８の高さに設けるのが好ましい。
【００２８】
段差面部４は、アーチ形状の第二アーチ部４１を備え、本実施形態では、各辺の段差面部４にそれぞれ第二アーチ部４１を備えてある。
第二アーチ部４１は、本実施形態では、図１（Ｄ）に示すように、側面視において、各辺の中間付近を頂点とした上側に凸状になる湾曲形状にして形成してあり、段差面部４各辺の全長よりもやや短くした長さに渡るアーチ状としてある。
第二アーチ部４１は、特に限定するものではないが、半径１００ｍｍ〜５，０００ｍｍの円弧状、特に半径２００ｍｍ〜３，０００ｍｍの円弧状に形成するのが好ましく、また、段差面部４の全周長に対して１／８以上の長さ、特に１／６以上の長さ、さらに１／４以上の長さにするのが好ましい。円弧状に形成する場合、第一アーチ部３１の半径と第二アーチ部４１の半径は同じにしても相違していてもよい。
本発明において樹脂成形品を平面視多角形状にした場合は、第二アーチ部を設ける段差面部各辺の全長に対して１／２以上の長さ、２／３以上の長さにするのが好ましい。
【００２９】
第二アーチ部４１は、段差面部４の表面、裏面のいずれか又は両方を、容器本体１１の周方向に沿うアーチ形状に形成してあればよく、例えば、段差面部４を変形させて、上側に凸状になる湾曲形状に形成したり、下側に凹状になる湾曲形状に形成したりすることができる。また、段差面部４を、部分的に厚みを厚くして上側に凸状になるアーチ状に形成したリ、部分的に厚みを薄くして下側に凹状になるアーチ状に形成したりすることもできる。
【００３０】
より具体的には、図１（Ｄ）に示す態様の他、図３（Ａ）に示すように、段差面部４を下側に凹状に湾曲させてアーチ形状に形成すること、図３（Ｂ）に示すように、段差面部４を部分的に厚みを厚く、つまり表面及び裏面を膨らませてアーチ形状にすること、図３（Ｃ）に示すように、段差面部４の表面のみを部分的に厚みを厚く、つまり表面のみを膨らませてアーチ形状にすること（裏面は略水平面状）、図４（Ｄ）に示すように、段差面部４を部分的に厚みを薄く、つまり表面及び裏面を凹ませてアーチ形状にすること、図４（Ｅ）に示すように、段差面部４の裏面のみを部分的に厚みを薄く、つまり裏面を凹ませてアーチ形状にすること（表面は略水平面状）、などの態様を挙げることができる。
【００３１】
第一アーチ部３１はフランジ部３のどの位置に配してもよく、第二アーチ部４１は段差面部４のどの位置に配してもよいが、第二アーチ部４１が第一アーチ部３１の下側に配列されるのが好ましく、それぞれの頂部（又は谷底）が上下に並ぶ位置に配列されるのが特に好ましい。
また、第一アーチ部３１及び第二アーチ部４１は、容器本体１１の略中心に対して対向する位置に備えるのが好ましく、例えば、図４に示すように、平面視円形状の容器本体１２にした場合、中心に対して対向する位置にそれぞれ第一アーチ部３２及び第二アーチ部４２を備えるのが好ましい。
【００３２】
第一アーチ部３１及び第二アーチ部４１は、図２及び図３に例示した態様をどのように組み合わせてもよいが、図２（Ａ）と図３（Ａ）又は（Ｂ）との組み合わせ、図２（Ｂ）と図３（Ａ）又は（Ｂ）との組み合わせが特に好ましい。
【００３３】
第一アーチ部３１及び第二アーチ部４１は、全体的にアーチ形状にしてあればよく、例えば、図５に示すように、表面に適宜間隔で膨らませた膨出部３１ａを備えた第一アーチ部３１にしたり、図６に示すように、表面に適宜間隔で凹ませた窪み部４１ａを設けた第二アーチ部４１にしたりすることもできる。
【００３４】
歪み抑制構造１は、容器本体１１のフランジ部３に第一アーチ部３１を設け、その下方位置の側壁面部２の段差面部４に第二アーチ部４１を設けて二段状のアーチ構造を備えることにより、熱成形後の残留応力による歪みや反り等を抑制できるものである。
【００３５】
上記実施形態では、歪み抑制構造を容器本体に適用した場合を説明したが、本発明の歪み抑制構造は、発泡樹脂シート製包装用容器の容器本体又は蓋体となる樹脂成形品に適用できるものである。蓋体に適用する場合は、上記形態において天地を逆にした構成にするのが好ましい。
【００３６】
上記実施形態の構成態様は、本発明を限定するものとして挙げたものではなく、技術目的を共通にするかぎり変更は可能であり、本発明はそのような変更を含むものである。
【符号の説明】
【００３７】
１歪み抑制構造
１１容器本体
２側壁面部
２１底面部
２１ａ溝部
３フランジ部
３ａ突端部
３１第一アーチ部
３１ａ膨出部
４段差面部
４１第二アーチ部
４１ａ窪み部
【図１】
2019112117.tif 000003
【図２】
2019112117.tif 000004
【図３】
2019112117.tif 000005
【図４】
2019112117.tif 000006
【図５】
2019112117.tif 000007
【図６】
2019112117.tif 000008